(57)【特許請求の範囲】
【請求項１】
装置本体と、
前記装置本体に着脱可能に装着される感光ドラムと、
前記感光ドラムを露光するための露光部材と、
前記感光ドラムに供給するための現像剤を収容する現像剤収容器と、
前記現像剤収容器を着脱するための開口と、
前記装置本体に設けられ、前記露光部材を支持するとともに、前記現像剤収容器を着脱自在に保持する支持部材と、を備え、
前記支持部材は、
前記現像剤収容器を保持した状態において、前記露光部材が前記感光ドラムに近接される露光位置と、前記露光部材が前記感光ドラムから退避される退避位置とに、一端側を支点として回動可能であり、
前記現像剤収容器は、前記支持部材が前記露光位置に配置された状態において、前記開口を介して、前記支持部材に着脱可能であることを特徴とする、画像形成装置。
【請求項２】
前記開口は、前記装置本体に形成されており、
前記装置本体は、前記開口を開放する開放位置と、前記開口を閉鎖する閉鎖位置とに、一端側を支点として回動可能な開閉部材を備え、
前記開閉部材は、前記支持部材と回動軸線が共通であることを特徴とする、請求項１に記載の画像形成装置。
【請求項３】
前記支持部材の前記露光位置から前記退避位置への回動に伴なって、前記開閉部材が前記閉鎖位置から前記開放位置へ、前記支持部材と一体的に回動可能であることを特徴とする、請求項２に記載の画像形成装置。
【請求項４】
前記支点を有し、前記開放位置と前記閉鎖位置とに前記開閉部材を回動させるためのヒンジ部を有し、
前記支持部材は、前記ヒンジ部と相対回転可能に連結する腕部を有することを特徴とする、請求項２または３に記載の画像形成装置。
【請求項５】
前記支持部材は、第１方向において互いに間隔を隔てて並列配置される、複数のＬＥＤ支持部を有し、
前記ヒンジ部は、前記第１方向の一端側に設けられ、
前記腕部は、前記複数のＬＥＤ支持部のうち、最も前記一端側の前記ＬＥＤ支持部の一端部から連続して延び、前記ヒンジ部に連結されることを特徴とする、請求項４に記載の画像形成装置。
【請求項６】
前記開口は、前記支持部材に形成されており、
前記支持部材は、前記開口を開放する開放位置と、前記開口を閉鎖する閉鎖位置とに移動可能な開閉部材を備えていることを特徴とする、請求項１に記載の画像形成装置。
【請求項７】
前記感光ドラムは、複数色のそれぞれに対応して複数設けられ、
前記現像剤収容器は、前記複数の感光ドラムのそれぞれに対応して、複数設けられていることを特徴とする、請求項１〜６のいずれか一項に記載の画像形成装置。
【請求項８】
前記感光ドラムは、複数色のそれぞれに対応して複数設けられ、
前記現像剤収容器は、前記複数の感光ドラムのそれぞれに対応して、複数設けられ、
前記開口は、前記複数の現像剤収容器のそれぞれに対応して、複数形成され、
前記開閉部材は、前記複数の前記開口のそれぞれに対応して、複数設けられていることを特徴とする、請求項６に記載の画像形成装置。
【請求項９】
前記現像剤収容器は、前記支持部材が前記露光位置に配置された状態において、前記現像剤収容器の着脱方向に投影したときに、前記露光部材と重なるように配置されていることを特徴とする、請求項１〜８のいずれか一項に記載の画像形成装置。
【請求項１０】
前記現像剤収容器は、トナー収容部を有し、
前記トナー収容部は、前記トナー収容部の上端部から上方に向かって突出するカートリッジ把持部を有することを特徴とする、請求項１〜９のいずれか一項に記載の画像形成装置。
【請求項１１】
前記感光ドラムを有するドラムカートリッジを有し、
前記装置本体は、前記ドラムカートリッジを着脱自在に保持するためのドラム保持フレームであって、第１の側壁と、前記感光ドラムの軸線方向において、前記第１の側壁と間隔を隔てて対向配置される第２の側壁と、を有するドラム保持フレームを有し、
前記露光部材は、前記感光ドラムの軸線方向に並列配置される複数のＬＥＤを保持するＬＥＤアレイと、前記ＬＥＤアレイを支持するＬＥＤフレームと、を有し、
前記ＬＥＤフレームは、前記感光ドラムの軸線方向における第１の端面と、前記第１の端面から前記感光ドラムの軸線方向外方に向かって延びる第１の位置決め突部と、を有し、
前記第１の側壁には、第１のＬＥＤ位置決め溝が形成され、
前記支持部材が前記露光位置にあるとき、前記第１の位置決め突部は前記第１のＬＥＤ位置決め溝内に配置されることを特徴とする、請求項１〜１０のいずれか一項に記載の画像形成装置。
【請求項１２】
前記ＬＥＤフレームは、前記感光ドラムの軸線方向における第２の端面と、前記第２の端面から前記感光ドラムの軸線方向外方に向かって延びる第２の位置決め突部と、を有し、
前記第２の側壁には、第２のＬＥＤ位置決め溝が形成され、
前記支持部材が前記露光位置にあるとき、前記第２の位置決め突部は前記第２のＬＥＤ位置決め溝内に配置されることを特徴とする、請求項１１に記載の画像形成装置。
【請求項１３】
前記感光ドラムを有するドラムカートリッジを有し、
前記装置本体は、前記ドラムカートリッジを着脱自在に保持するためのドラム保持フレームであって、第１の側壁と、前記感光ドラムの軸線方向において、前記第１の側壁と間隔を隔てて対向配置される第２の側壁と、を有するドラム保持フレームを有し、
前記ドラムカートリッジは、第１のドラム側壁と、前記感光ドラムの軸線方向において、前記第１のドラム側壁と間隔を隔てて対向配置される第２のドラム側壁と、を有し、
前記第１のドラム側壁は、前記第１のドラム側壁の外側面から前記感光ドラムの軸線方向における外方に向かって突出する第１のボスを有し、
前記第１の側壁は、前記ドラムカートリッジが前記ドラム保持フレームに対して着脱されるときに前記第１のボスをガイドすることを特徴とする、請求項１〜１２のいずれか一項に記載の画像形成装置。
【請求項１４】
前記第２のドラム側壁は、前記第２のドラム側壁の外側面から前記感光ドラムの軸線方向における外方に向かって突出する第２のボスを有し、
第２の側壁は、前記ドラムカートリッジが前記ドラム保持フレームに対して着脱されるときに前記第２のボスをガイドすることを特徴とする、請求項１３に記載の画像形成装置。
【請求項１５】
前記第１のドラム側壁は、前記第１のドラム側壁の外側面から前記感光ドラムの軸線方向における外方に向かって突出する第３のボスを有し、
前記第１の側壁は、前記ドラムカートリッジが前記ドラム保持フレームに対して着脱されるときに前記第３のボスを位置決めすることを特徴とする、請求項１３または１４に記載の画像形成装置。
【請求項１６】
前記第２のドラム側壁は、前記第２のドラム側壁の外側面から前記感光ドラムの軸線方向における外方に向かって突出する第４のボスを有し、
前記第２の側壁は、前記ドラムカートリッジが前記ドラム保持フレームに対して着脱されるときに前記第４のボスを位置決めすることを特徴とする、請求項１３〜１５のいずれか一項に記載の画像形成装置。
【発明の詳細な説明】
【技術分野】
【０００１】
本発明は、電子写真方式が採用される画像形成装置に関する。
【背景技術】
【０００２】
電子写真方式の画像形成装置として、開口を有する装置本体と、感光ドラムおよびトナーカートリッジを一体的に備え、開口を介して装置本体に着脱可能に装着される感光体ユニットと、感光ドラムを露光するためのＬＥＤヘッドとを備える画像形成装置が知られている。
【０００３】
このような画像形成装置としては、例えば、装置本体が、開口を開閉するためのトップカバーを備え、ＬＥＤヘッドが、トップカバーの内面に保持されるプリンタが提案されている（例えば、特許文献１参照。）。
【０００４】
このプリンタでは、トップカバーが、開口を閉鎖する閉鎖位置に配置された状態において、ＬＥＤヘッドが感光ドラムに近接され、開口を開放する開放位置に配置された状態において、ＬＥＤヘッドが感光ドラムから離間される。
【０００５】
そして、そのようなプリンタにおいて、感光体ユニットを装置本体に対して着脱するには、トップカバーを開放位置に配置して、ＬＥＤヘッドを感光ドラムから離間させた後、感光体ユニットを装置本体に対して着脱する。
【先行技術文献】
【特許文献】
【０００６】
【特許文献１】特開２００７−６５１２５号公報
【発明の概要】
【発明が解決しようとする課題】
【０００７】
しかるに、メンテナンス性およびランニングコスト低減の観点から、トナーカートリッジと感光ドラムとを、別体として構成することが望まれている。
【０００８】
しかし、特許文献１に記載のプリンタにおいて、トナーカートリッジと感光ドラムとを別体として構成すると、感光ドラムを装置本体から離脱させる場合、ＬＥＤヘッドを感光ドラムから離間させた後、さらに、トナーカートリッジを装置本体から離脱させる必要がある。
【０００９】
そのため、例え、感光ドラムのみを交換する場合であっても、一旦、トナーカートリッジを装置本体から離脱させる必要があり、感光ドラムの交換作業が煩雑となる。
【００１０】
そこで、本発明の目的は、現像剤収容容器と感光ドラムとをそれぞれ別体として構成することができながら、感光ドラムのメンテナンス性の向上を図ることができる画像形成装置を提供することにある。
【課題を解決するための手段】
【００１１】
（１）上記目的を達成するために、本発明の画像形成装置は、装置本体と、装置本体に着脱可能に装着される感光ドラムと、感光ドラムを露光するための露光部材と、感光ドラムに供給するための現像剤を収容する現像剤収容器と、装置本体に設けられ、露光部材を支持するとともに、現像剤収容器を着脱自在に保持する支持部材と、を備えている。
【００１２】
支持部材は、現像剤収容器を保持した状態において、露光部材が感光ドラムに近接される露光位置と、露光部材が感光ドラムから退避される退避位置とに移動可能である。
【００１３】
このような構成によれば、支持部材が、現像剤収容器を着脱自在に保持した状態において、露光位置と退避位置とに移動可能であるので、支持部材を露光位置に配置すれば、感光ドラムと比較して交換の頻度が高い現像剤収容容器を、独立して装置本体に対して着脱できる。
【００１４】
一方、支持部材を退避位置に配置すれば、露光部材を感光ドラムから離間させることができるとともに、現像剤収容器を感光ドラムから離間させることができる。
【００１５】
つまり、支持部材を退避位置に配置させることのみにより、露光部材および現像剤収容器の両方を、感光ドラムから離間させることができる。
【００１６】
そのため、感光ドラムを装置本体から離脱させるときに、支持部材を退避位置に配置すれば、現像剤収容器を装置本体から離脱させるという手間を掛けずに、感光ドラムを装置本体から離脱でき、感光ドラムの交換作業の効率化を図ることができる。
【００１７】
従って、現像剤収容容器と感光ドラムとをそれぞれ独立して、装置本体に対して着脱できながら、感光ドラムのメンテナンス性の向上を図ることができる。
（２）また、現像剤収容器を着脱するための開口を有していてもよい。この場合、現像剤収容器は、支持部材が露光位置に配置された状態において、開口を介して、支持部材に着脱可能である。
【００１８】
このような構成によれば、支持部材が露光位置に配置された状態において、現像剤収容容器が、開口を介して、支持部材に着脱可能であるので、現像剤収容容器を確実に装置本体に対して着脱できる。
【００１９】
従って、現像剤収容容器のメンテナンス性のさらなる向上を図ることができる。
（３）また、支持部材は、一端側を支点として、露光位置と退避位置とに回動可能であってもよい。
【００２０】
このような構成によれば、簡易な構成でありながら、支持部材を確実に露光位置と退避位置とに移動させることができる。
（４）また、開口は、装置本体に形成されていてもよい。この場合、装置本体は、開口を開放する開放位置と、開口を閉鎖する閉鎖位置とに、一端側を支点として回動可能な開閉部材を備え、開閉部材は、支持部材と回動軸線が共通である。
【００２１】
このような構成によれば、開閉部材が適宜開口を開閉するので、ユーザが不用意に現像剤収容器と接触することを抑制できる。
【００２２】
また、開閉部材と支持部材との回動軸線が共通であるので、必要により、開閉部材と支持部材とを同時に回動させることができる。
【００２３】
具体的には、現像剤収容容器を交換する場合、開閉部材のみを回動させて、開放位置に配置させることができ、感光ドラムを交換する場合、開閉部材と支持部材とを同時に回動させて、開閉部材を開放位置に配置させるとともに、支持部材を退避位置に配置させることができる。
【００２４】
そのため、現像剤収容容器および感光ドラムの両方のメンテナンス性の向上を図ることができる。
（５）また、支持部材の露光位置から退避位置への回動に伴なって、開閉部材が閉鎖位置から開放位置へ、支持部材と一体的に回動可能であってもよい。
【００２５】
このような構成によれば、支持部材を露光位置から退避位置へ回動させると、開閉部材が閉鎖位置から開放位置へ、支持部材と一体的に回動されるので、ユーザが、開閉部材および支持部材の両方を操作することなく、支持部材を退避位置に配置させるとともに、開閉部材を開放位置に配置させることができる。
【００２６】
そのため、感光ドラムのメンテナンス性のさらなる向上を図ることができる。
（６）また、開口は、支持部材に形成されていてもよい。この場合、支持部材は、開口を開放する開放位置と、開口を閉鎖する閉鎖位置とに移動可能な開閉部材を備えている。
【００２７】
このような構成によれば、開閉部材が適宜開口を開閉するので、ユーザが不用意に現像剤収容器と接触することを抑制できる。
（７）また、感光ドラムは、複数色のそれぞれに対応して複数設けられていてもよい。この場合、現像剤収容器は、複数の感光ドラムのそれぞれに対応して、複数設けられている。
【００２８】
しかるに、上記特許文献１に記載のプリンタでは、複数の感光ドラムが設けられており、露光部材は、互いに隣り合う現像剤収容器の間において、感光ドラムに近接される露光位置と、感光ドラムから離間される退避位置とに進退可能に配置される。
【００２９】
そのため、そのような画像形成装置では、互いに隣り合う現像剤収容器の間に、露光部材を進退させるためのスペースを確保する必要がある。
【００３０】
これにより、現像剤収容器の大型化を図ることが困難であり、現像剤収容容器の現像剤容量の増加を図るには限度がある。
【００３１】
これに対して、支持部材が露光位置に配置される状態、すなわち、露光部材が感光ドラムに近接された状態のまま、現像剤収容容器が、装置本体に対して着脱される構成では、互いに隣り合う現像剤収容器の間に、露光部材を進退させるためのスペースを確保する必要がない。
【００３２】
そのため、現像剤収容器の大型化を図ることができ、現像剤収容器の現像剤容量の向上を図ることができる。
【００３３】
また、このような構成によれば、複数の現像剤収容器に、複数色（例えば、イエロー、マゼンタ、シアン、ブラック）のそれぞれに対応する現像剤を収容させることで、フルカラーの画像を形成することができる。
（８）また、開口は、複数の現像剤収容器のそれぞれに対応して、複数形成されていてもよい。この場合、開閉部材は、複数の現像剤収容器のそれぞれに対応して、複数設けられている。
【００３４】
このような構成によれば、複数色の現像剤収容器のうち、交換が必要な現像剤収容器のみを、対応する開口を介して、装置本体に対して着脱することができる。
【００３５】
そのため、複数の現像剤収容器のメンテナンス性の向上を図ることができる。
（９）また、現像剤収容器は、支持部材が露光位置に配置された状態において、現像剤収容器の着脱方向に投影したときに、露光部材と重なるように配置されていてもよい。
【００３６】
このような構成によれば、現像剤収容器の大型化を図ることができるので、現像剤収容器の現像剤容量のさらなる向上を図ることができる。
【発明の効果】
【００３７】
本発明の画像形成装置では、現像剤収容容器と感光ドラムとをそれぞれ独立して、装置本体に対して着脱できながら、感光ドラムのメンテナンス性の向上を図ることができる。
【図面の簡単な説明】
【００３８】
【図１】本発明の画像形成装置の第１実施形態のプリンタを示す側断面図である。
【図２】図１に示すプリンタ（本体ケーシングの右側壁が省略された状態）の右側面図である。
【図３】図１に示すプリンタ（本体ケーシングの左側壁が省略された状態）の左側面図である。
【図４】図１に示すプリンタ（トップカバーが開放位置に配置された状態）の側断面図である。
【図５】図１に示すプリンタ（トップカバーが開放位置に配置された状態）を右上側から見た斜視図である。
【図６】図１に示すプリンタ（現像カートリッジおよびドラムカートリッジが離脱された状態）を右上側から見た斜視図である。
【図７】図１に示すプリンタ（現像保持フレームが退避位置に配置された状態）を右上側から見た斜視図である。
【図８】第２実施形態のプリンタ（トップカバーが開放位置に配置された状態）を右上側から見た斜視図である。
【図９】図８に示すプリンタ（現像保持フレームが退避位置に配置された状態）を右上側から見た斜視図である。
【図１０】第３実施形態のプリンタ（本体ケーシングの右側壁が省略された状態）を右上側から見た斜視図である。
【図１１】図１０に示すプリンタ（開口カバーが開放位置にある状態）を右上側から見た斜視図である。
【図１２】図１０に示すプリンタ（支持部材が退避位置に配置された状態）を右上側から見た斜視図である。
【発明を実施するための形態】
【００３９】
１．プリンタの全体構成
図１に示すように、画像形成装置の一例としてのプリンタ１は、ダイレクトタンデムタイプのカラープリンタである。
【００４０】
なお、以下の説明において、方向について言及する場合には、プリンタ１を水平に載置した状態を基準として、図１における紙面左側を前側とし、図１における紙面右側を後側とする。また、プリンタ１を前側から見たときを左右の基準とする。すなわち、図１の紙面手前側が右側であり、紙面奥側が左側である。
【００４１】
プリンタ１は、装置本体の一例としての本体ケーシング２を備えており、本体ケーシング２内において、用紙Ｐを給紙するための給紙部４と、給紙された用紙Ｐに画像を形成するための画像形成部５とを備えている。
（１）本体ケーシング
本体ケーシング２は、給紙部４および画像形成部５を収容する側面視略矩形状のボックス形状に形成されている。本体ケーシング２の上端部には、開口の一例としての本体開口部３が形成されている。
【００４２】
また、本体ケーシング２の上端部には、本体開口部３を開閉する開閉部材の一例としてのトップカバー６が設けられている。
【００４３】
トップカバー６は、図２に示すように、略平板形状に形成され、前端部に把持部７が設けられ、後端部にヒンジ部８が設けられている。
【００４４】
把持部７は、図７に示すように、略Ｕ字状に形成され、その遊端部が、トップカバー６の前端部における上面の左右方向中央部分を跨ぐように、トップカバー６に固定されている。
【００４５】
そして、トップカバー６は、ヒンジ部８を支点として、本体開口部３を開放する開放位置（図４参照）と、本体開口部３を閉鎖する閉鎖位置（図２参照）とに揺動（回動）可能に設けられている。
（２）給紙部
給紙部４は、図１に示すように、本体ケーシング２の底部に着脱自在に装着され、用紙Ｐを収容する給紙トレイ９を備えている。給紙トレイ９の前端部上側には、ピックアップローラ１０と、１対の給紙ローラ１１とが設けられている。また、両給紙ローラ１１の上側には、１対のレジストローラ１２が設けられている。
【００４６】
給紙トレイ９に収容されている用紙Ｐは、ピックアップローラ１０、両給紙ローラ１１の回転により、両レジストローラ１２間に向けて１枚ずつ給紙され、所定のタイミングで、画像形成部５（感光ドラム１３（後述）と搬送ベルト１４（後述）との間）に向けて搬送される。
（３）画像形成部
画像形成部５は、プロセスユニット１６、露光部材の一例としてのＬＥＤユニット１７、転写ユニット１８および定着ユニット１９を備えている。
（３−１）プロセスユニット
プロセスユニット１６は、本体ケーシング２内の上側部分に配置され、ドラムカートリッジ２０と、現像剤収容器の一例としての現像カートリッジ２１とを備えている。
【００４７】
ドラムカートリッジ２０は、複数色（ブラック、イエロー、マゼンタ、シアン）のそれぞれに対応して、複数（４つ）設けられ、前後方向に互いに間隔を隔てて並列配置されている。
【００４８】
ドラムカートリッジ２０は、感光ドラム１３およびスコロトロン型帯電器２２を備えている。つまり、感光ドラム１３は、複数色（ブラック、イエロー、マゼンタ、シアン）のそれぞれに対応して複数（４つ）設けられている。
【００４９】
感光ドラム１３は、左右方向に長手の円筒形状に形成されており（図７参照）、ドラムカートリッジ２０に回転可能に支持されている。
【００５０】
スコロトロン型帯電器２２は、感光ドラム１３の後上側に間隔を隔てて対向配置されている。
【００５１】
現像カートリッジ２１は、複数（４つ）の感光ドラム１３のそれぞれに対応して、複数（４つ）設けられ、対応する感光ドラム１３の前上側に対向配置されている。また、現像カートリッジ２１は、現像ローラ２３を備えている。
【００５２】
現像ローラ２３は、現像カートリッジ２１の下端において、下側および後側から露出されるように回転可能に支持されており、対応する感光ドラム１３に後側から接触されている。
【００５３】
なお、現像カートリッジ２１は、現像ローラ２３にトナーを供給する供給ローラ２４、現像ローラ２３に供給されたトナーの厚みを規制する層厚規制ブレード２５を備え、それらの上側に設けられるトナー収容部２６内には、現像剤の一例としてのトナーが収容されている。
（３−２）ＬＥＤユニット
ＬＥＤユニット１７は、複数（４つ）の感光ドラム１３のそれぞれに対応して、複数（４つ）設けられ、対応する感光ドラム１３の上側において、対応する感光ドラム１３に上側から対向するように設けられている。ＬＥＤユニット１７は、所定の画像データに基づいて、対応する感光ドラム１３の表面を露光する。
（３−３）転写ユニット
転写ユニット１８は、給紙部４の上側であって、複数（４つ）のプロセスユニット１６の下側に、前後方向に沿って配置されている。
【００５４】
転写ユニット１８は、駆動ローラ２７と、従動ローラ２８と、搬送ベルト１４と、複数（４つ）の転写ローラ２９とを備えている。
【００５５】
駆動ローラ２７および従動ローラ２８は、前後方向に互いに間隔を隔てて対向配置されている。
【００５６】
搬送ベルト１４は、その上側部分がすべての感光ドラム１３と接触されるように、駆動ローラ２７および従動ローラ２８の周りに掛け渡されている。
【００５７】
また、搬送ベルト１４は、駆動ローラ２７の駆動および従動ローラ２８の従動により、その上側部分が前側から後側に向かって移動するように、周回移動されている。
【００５８】
複数（４つ）の転写ローラ２９のそれぞれは、搬送ベルト１４内において、対応する感光ドラム１３と、搬送ベルト１４の上側部分を挟んで、上下方向に対向するように設けられている。
（３−４）定着ユニット
定着ユニット１９は、転写ユニット１８の後側に配置され、加熱ローラ３０、および、加熱ローラ３０に圧接される加圧ローラ３１を備えている。
（４）画像形成動作
現像カートリッジ２１のトナー収容部２６内のトナーは、供給ローラ２４に供給され、さらに、現像ローラ２３に供給される。現像ローラ２３に供給されたトナーは、現像ローラ２３の回転に伴って、供給ローラ２４と現像ローラ２３との間で正極性に摩擦帯電され、層厚規制ブレード２５によって厚さが規制されて、一定厚さの薄層として現像ローラ２３の表面に担持される。
【００５９】
一方、感光ドラム１３の表面は、感光ドラム１３の回転に伴って、スコロトロン型帯電器２２によって一様に帯電された後、ＬＥＤユニット１７によって露光される。これにより、用紙Ｐに形成すべき画像に対応した静電潜像が感光ドラム１３の表面に形成される。
【００６０】
感光ドラム１３がさらに回転すると、現像ローラ２３の表面に担持されているトナーが、感光ドラム１３の静電潜像に供給される。これにより、感光ドラム１３の表面には、反転現像によるトナー像が担持される。
【００６１】
そして、給紙部４から給紙された用紙Ｐは、搬送ベルト１４によって、前側から後側に向かって搬送される。用紙Ｐには、感光ドラム１３と転写ローラ２９との間（転写位置）を通過するときに複数色のトナー像が順次転写され、カラー画像が形成される。
【００６２】
そして、転写ユニット１８において用紙Ｐに転写されたカラー画像は、用紙Ｐが加熱ローラ３０と加圧ローラ３１との間を通過するときに、加熱および加圧されることによって用紙Ｐに熱定着される。
【００６３】
その後、用紙Ｐは、前上側へＵターンするように搬送されて、排紙ローラ３３によって、トップカバー６に設けられる排紙トレイ３２に排紙される。
２．プロセスユニット
プロセスユニット１６は、図２に示すように、プロセスフレーム３５を備えている。
【００６４】
プロセスフレーム３５は、ドラムカートリッジ２０を着脱自在に保持するためのドラム保持フレーム３７と、現像カートリッジ２１を着脱自在に保持するための支持部材の一例としての現像保持フレーム３６とを備えている。
（１）ドラム保持フレーム
ドラム保持フレーム３７は、図７に示すように、平面視略矩形枠形状に形成され、左右方向に間隔を隔てて対向配置される１対の側壁３９と、それらの前端部を架設する前壁３８とを備えている。
【００６５】
１対の側壁３９のそれぞれは、図２に示すように、前後方向に長手の側面視略矩形状に形成され、その前端部が、前方に向かうに従って斜め上方に傾斜するように形成されている。
【００６６】
１対の側壁３９のそれぞれには、ドラム位置決め溝４４と、ドラムガイド溝４３と、ＬＥＤ位置決め溝４０とが形成されている。
【００６７】
ドラム位置決め溝４４は、複数（４つ）のドラムカートリッジ２０の上側ボス５６（後述）のそれぞれに対応するように、前後方向に間隔を隔てて４つ形成されている。
【００６８】
ドラム位置決め溝４４は、側壁３９の上端縁から下方に向かって窪む側面視略Ｕ字状に形成されている。ドラム位置決め溝４４の溝幅は、上側ボス５６（後述）外径と略同じ長さに形成されている。
【００６９】
ドラムガイド溝４３は、複数（４つ）のドラム位置決め溝４４のそれぞれの後側において、ドラムカートリッジ２０の下側ボス５２（後述）に対応するように形成されている。
【００７０】
右側の側壁３９に形成されるドラムガイド溝４３は、その上側部分が、側壁３９の上端縁から下方に向かって延びるように形成され、その下側部分が、上側部分の下端部から連続して、下方に向かうに従って後方に傾斜するように形成されている。
【００７１】
左側の側壁３９に形成されるドラムガイド溝４３は、図３に示すように、その上側部分が、側壁３９の上端縁から下方に向かって窪む略半円弧形状に形成され、その下側部分が、上側部分の下端部から連続して、下方に向かうに従って後方に傾斜するように形成されている。
【００７２】
また、ドラムガイド溝４３の下側部分の溝幅は、下側ボス５２（後述）外径と略同じ長さに形成されている。
【００７３】
ＬＥＤ位置決め溝４０は、図２に示すように、複数（４つ）のドラムガイド溝４３のそれぞれの後側において、ＬＥＤユニット１７の位置決め突部８５（後述）に対応するように形成されている。
【００７４】
また、ＬＥＤ位置決め溝４０は、その上側部分が、側壁３９の上端縁から下方に向かって窪む側面視略Ｕ字状に形成され、その下側部分が、上側部分の下端部から連続して、前後方向内方に屈曲した後、下方に向かって延びるように形成されている。
【００７５】
また、１対の側壁３９のそれぞれは、ボス受入部４１と、フレーム支持部６０とを一体的に備えている。
【００７６】
ボス受入部４１は、フレーム把持部７１の左右両端部（後述）に対応して形成され、側壁３９の前端部における上端縁から上方に向かって延びる側面視略矩形状に形成されている。
【００７７】
ボス受入部４１には、その上端部に、ボス受入溝６１が形成されている。ボス受入溝６１は、ボス受入部４１の上端縁から下方に向かって窪む側面視略Ｕ字状に形成されており、ボス受入部４１の上端部は、その溝幅が上方に向かうに従って幅広となるように形成されている。
【００７８】
フレーム支持部６０は、側面視略矩形状に形成され、その前端部における下側部分が、側壁３９の後端部と連結されている。フレーム支持部６０には、その略中央部分に、側面視略円形状の軸挿通穴６２が貫通形成されている。
【００７９】
前壁３８は、１対の側壁３９の前端部の下端縁に沿って、前方へ向かうに従って斜め上方へ傾斜するように形成されており、固定部４６を一体的に備えている。
【００８０】
固定部４６は、前方に向かって屈曲する側面視略Ｌ字状に形成され、前壁３８の上端部から連続して、前方へ向かうに従って斜め上方へ傾斜するように延びた後、屈曲して、前方へ向かうに従って斜め下方へ傾斜するように形成されている。そして、固定部４６の前端部は、本体ケーシング２の前壁に固定されている。
【００８１】
これにより、ドラム保持フレーム３７は、本体ケーシング２に対して、相対移動不能に固定されている。
（２）現像保持フレーム
現像保持フレーム３６は、図６に示すように、左右方向に間隔を隔てて対向配置される１対の保持フレーム側壁６５と、それら１対の保持フレーム側壁６５の前端部間に架設されるフレーム把持部７１と、それら１対の保持フレーム側壁６５間において、前後方向に互いに間隔を隔てて並列配置されるＬＥＤ支持部７４とを一体的に備えている。
【００８２】
なお、以下の説明において、現像保持フレーム３６の上下前後左右方向は、後述する露光位置に配置された状態（図１〜図６）を基準としている。
【００８３】
１対の保持フレーム側壁６５は、前後方向に延びる略杆状に形成されている。
【００８４】
フレーム把持部７１は、図７に示すように、左右方向に長手の略平板形状に形成され、開口部７２と、係合ボス７３とを有している。
【００８５】
開口部７２は、フレーム把持部７１の左右方向中央部分において、正面視略矩形状に貫通形成されている。
【００８６】
係合ボス７３は、フレーム把持部７１の左右両端面における下端部から左右方向外方に向かって突出する略円柱形状に形成されている。
【００８７】
そして、フレーム把持部７１は、図１に示すように、その左右両端部における下端部が、保持フレーム側壁６５の前端部に連結され（図７参照）、前方に向かうに従って斜め上方に傾斜するように形成されている。
【００８８】
また、ＬＥＤ支持部７４は、図６に示すように、１対の保持フレーム側壁６５間に架設される略平板形状に形成され、フレーム把持部７１の後側において、前後方向に間隔を隔てて４つ並列配置されている。
【００８９】
複数（４つ）のＬＥＤ支持部７４の前後方向両端面は、図１に示すように、現像保持フレーム３６に複数（４つ）の現像カートリッジ２１が保持された状態において、左右方向に投影したときに、現像カートリッジ２１のトナー収容部２６と重なる部分が、傾斜状に切り欠かれて形成されている。
【００９０】
ＬＥＤ支持部７４の下面には、ＬＥＤユニット１７が支持されている。
【００９１】
ＬＥＤユニット１７は、ＬＥＤアレイ８０と、ＬＥＤアレイ８０を支持するＬＥＤフレーム８１とを備えている。
【００９２】
ＬＥＤアレイ８０は、ＬＥＤユニット１７の下端部に配置されている。ＬＥＤアレイ８０は、左右方向に延びる略平板状に形成され、左右方向に並列配置される多数のＬＥＤを一体的に保持している。
【００９３】
ＬＥＤフレーム８１は、ＬＥＤアレイ８０の上側に配置されている。ＬＥＤフレーム８１は、左右方向に長手の側面視略矩形状に形成されている（図４参照）。
【００９４】
また、ＬＥＤフレーム８１には、複数（２つ）の位置決め突部８５（図２および図３参照）と、複数（２つ）の圧縮ばね８３とが設けられている。
【００９５】
複数（２つ）の位置決め突部８５のそれぞれは、図７に示すように、ＬＥＤフレーム８１の左右両端面に設けられ、その上側部分が、ＬＥＤフレーム８１の左右両端面から左右方向外方に向かって延びる略円柱形状に形成され、その下側部分が、上側部分の下端部から下方に向かって突出する側面視略矩形状に形成されている（図２参照）。
【００９６】
複数の圧縮ばね８３のそれぞれは、図１に示すように、空心コイル状に形成され、ＬＥＤフレーム８１の上面における左右両端部に配置されている。
【００９７】
また、圧縮ばね８３は、その下端部がＬＥＤフレーム８１の上面に固定され、その上端部がＬＥＤ支持部７４の下面に固定されている。
【００９８】
これにより、ＬＥＤユニット１７は、ＬＥＤアレイ８０が上下方向に伸縮するように、ＬＥＤ支持部７４に支持されている。そして、常には、ＬＥＤフレーム８１は、圧縮ばね８３により、下方に向かって付勢されている。
【００９９】
また、現像保持フレーム３６には、図６に示すように、上記１対の保持フレーム側壁６５、フレーム把持部７１、および、複数（４つ）のＬＥＤ支持部７４により、複数（４つ）の受入口６３が区画されている。
【０１００】
詳しくは、最も前側の受入口６３は、フレーム把持部７１の後端部、最も前側のＬＥＤ支持部７４、および、対応する両保持フレーム側壁６５により、区画されている。
【０１０１】
また、その他の３つの受入口６３（最も前側の受入口６３以外の受入口６３）は、隣り合う２つのＬＥＤ支持部７４、および、対応する両保持フレーム側壁６５により、区画されている。
【０１０２】
受入口６３は、平面視略矩形状に形成され、その左右両面には、窪部７５が形成されている。
【０１０３】
窪部７５は、保持フレーム側壁６５の左右方向内側面から左右方向外方に向かって窪むように、平面視略Ｕ字状に切り欠かれて形成されている。
【０１０４】
また、受入口６３に対応する左側の保持フレーム側壁６５には、カップリング挿通部７６が設けられている。カップリング挿通部７６は、図３に示すように、側面視略円形状に貫通形成されている。
【０１０５】
また、現像保持フレーム３６は、図５に示すように、回動部７０を備えている。
【０１０６】
回動部７０は、現像保持フレーム３６の後端部に設けられ、回動軸保持部６７と、回動軸６８とを備えている。
【０１０７】
回動軸保持部６７は、複数（４つ）のＬＥＤ支持部７４のうち、最も後側のＬＥＤ支持部７４の後端部における左右両端部から連続して、後下方に向かって突出する略平板形状に形成されている（図１参照）。
【０１０８】
回動軸６８は、左右方向に延びる略円柱形状に形成され、その左右両端部が、各回動軸保持部６７に相対回転不能に支持されることにより、現像保持フレーム３６に対して相対回転不能に設けられている。また、回動軸６８の左右両端部は、各回動軸保持部６７から左右方向外方に突出している。回動軸６８の左右方向長さは、１対のフレーム支持部６０の左右方向間隔よりも長く形成されている。
【０１０９】
そして、現像保持フレーム３６は、回動軸６８の左右両端部が、ドラム保持フレーム３７におけるフレーム支持部６０の軸挿通穴６２に相対回転可能に挿通されることにより、ドラム保持フレーム３７（本体ケーシング２）に対して相対移動可能に支持されている。
【０１１０】
具体的には、現像保持フレーム３６は、ＬＥＤアレイ８０が感光ドラム１３に近接される露光位置（図１参照）と、ＬＥＤアレイ８０が感光ドラム１３から退避される退避位置（図７参照）とに、回動軸６８を回動支点として、回動可能である。
【０１１１】
現像保持フレーム３６が、図１に示すように、露光位置に配置された状態において、ＬＥＤユニット１７のＬＥＤアレイ８０は、感光ドラム１３に対して間隔を隔てて、上方から対向配置される。
【０１１２】
また、ＬＥＤユニット１７の位置決め突部８５は、図２および図３に示すように、対応するＬＥＤ位置決め溝４０内に配置される。これにより、ＬＥＤユニット１７のドラム保持フレーム３７に対する前後方向への移動が規制される。
【０１１３】
また、係合ボス７３は、ドラム保持フレーム３７のボス受入溝６１に受け入れられ、保持フレーム側壁６５の下端部は、側壁３９の上端部と僅かな間隔を隔てて対向配置される。
【０１１４】
なお、本体ケーシング２には、図６に示すように、現像保持フレーム３６が露光位置に配置された状態において、カップリング挿通部７６と、左右方向に間隔を隔てて対向する位置に、本体カップリング９８が設けられている。本体カップリング９８は、略円柱形状に形成され、左右方向に進退可能に構成されている。
【０１１５】
一方、現像保持フレーム３６が、図７に示すように、退避位置に配置された状態において、ＬＥＤユニット１７のＬＥＤアレイ８０は、感光ドラム１３から離間されており、位置決め突部８５は、ＬＥＤ位置決め溝４０から離脱される。また、係合ボス７３も、ボス受入溝６１から離脱される。
（３）ドラムカートリッジ
また、ドラム保持フレーム３７には、複数（４つ）のドラムカートリッジ２０が着脱自在に装着されている。
【０１１６】
複数（４つ）のドラムカートリッジ２０のそれぞれは、ドラムフレーム４７を備えている。
【０１１７】
ドラムフレーム４７は、下側が開放される略ボックス形状に形成され（図１参照）、図４に示すように、左右方向に間隔を隔てて対向配置される１対のドラム側壁５０と、それらドラム側壁５０の前端部を連結するドラム前壁５４とを備えている。
【０１１８】
１対のドラム側壁５０のそれぞれは、略平板形状に形成され、相対向するように、ＬＥＤ受入溝５１と、ボスガイド溝５５と、下側ボス５２と、上側ボス５６とを有している。
【０１１９】
ＬＥＤ受入溝５１は、ドラム側壁５０の上端縁から下方に向かって窪む側面視略Ｕ字形状に形成されている。
【０１２０】
ボスガイド溝５５は、ＬＥＤ受入溝５１の前側において、ドラム側壁５０の上端縁から下方に向かって窪む側面視略Ｕ字状に形成されている。ボスガイド溝５５の上端部は、上方に向かうに従ってその溝幅が幅広となるように形成されている。
【０１２１】
下側ボス５２は、ＬＥＤ受入溝５１の下側において、ドラム側壁５０の左右方向外側面から左右方向外方に向かって突出する略円柱形状に形成されている（図４参照）。
【０１２２】
上側ボス５６は、ドラム側壁５０の前端部において、ドラム側壁５０の左右方向外側面から左右方向外方に向かって突出する略円柱形状に形成されている（図４参照）。
【０１２３】
ドラム前壁５４は、図７に示すように、各ドラム側壁５０の前端部間に架設され、左右方向に延びる略平板形状に形成されている。
【０１２４】
ドラム前壁５４には、ドラム把持部５７が一体的に設けられている。
【０１２５】
ドラム把持部５７は、ドラム前壁５４の上端部における左右方向中央部分から連続して、前方に向かって延びる平面視略矩形状に形成されている。
【０１２６】
そして、ドラムカートリッジ２０は、図２および図３に示すように、下側ボス５２がドラムガイド溝４３内の下端部に配置されるとともに、上側ボス５６がドラム位置決め溝４４内に配置されるように、ドラム保持フレーム３７に装着されている。
（４）現像カートリッジ
現像保持フレーム３６には、図５に示すように、複数（４つ）の現像カートリッジ２１が着脱自在に装着されている。
【０１２７】
現像カートリッジ２１は、現像部９０と、現像部９０の上側に配置されるトナー収容部２６とを一体的に備えている。
【０１２８】
現像部９０は、左右方向に延び、後側が開放される略中空形状に形成され（図１参照）、その左右両端部が、１対の現像側壁９２で閉鎖されている。
【０１２９】
１対の現像側壁９２のそれぞれは、図４に示すように、下方に向かうに従って先細りとなる側面視略三角形状に形成され、その後側部分に、ボス９３が設けられている。
【０１３０】
ボス９３は、図５に示すように、現像側壁９２の左右方向外側面から左右方向外方に向かって突出する略円柱形状に形成されている。
【０１３１】
また、１対の現像側壁９２のうち、左側の現像側壁９２には、図３に示すように、駆動入力部９４が形成されている。
【０１３２】
また、現像部９０内には、図１に示すように、上記した現像ローラ２３、供給ローラ２４および層厚規制ブレード２５が収容されており、現像ローラ２３の後側部分が後方から露出されている。
【０１３３】
なお、駆動入力部９４は、本体カップリング９８（後述）を介して、本体ケーシング２からの駆動力が入力されると、現像ローラ２３および供給ローラ２４に駆動力を伝達する。
【０１３４】
トナー収容部２６は、図５に示すように、側面視略矩形状の略ボックス形状に形成されており、その下端部において、現像部９０と連通されている（図１参照）。
【０１３５】
また、トナー収容部２６は、カートリッジ把持部９５を備えている。
【０１３６】
カートリッジ把持部９５は、トナー収容部２６と連続するように、その上端部における左右方向中央部分から、上方に向かって突出する略平板形状に形成されている。
【０１３７】
また、トナー収容部２６は、その前後方向長さが、受入口６３（図６参照）の前後方向長さよりも長く形成されて、その左右方向長さが、受入口６３（図６参照）の左右方向長さよりも長く形成されている。
【０１３８】
また、トナー収容部２６内には、図１に示すように、複数色（ブラック、イエロー、マゼンタ、シアン）のそれぞれに対応するトナーが収容されている。
【０１３９】
そして、現像カートリッジ２１は、図４に示すように、ボス９３が、ドラム側壁５０のボスガイド溝５５内に配置されるとともに、トナー収容部２６の下端部が、受入口６３の周端部（ＬＥＤ支持部７４および保持フレーム側壁６５）に支持されるように、現像保持フレーム３６に装着されている。
【０１４０】
そうすると、左側の現像側壁９２の駆動入力部９４は、図３に示すように、カップリング挿通部７６を介して、左側から露出している。そして、駆動入力部９４には、現像カートリッジ２１が現像保持フレーム３６に装着され、現像保持フレーム３６が露光位置に配置された状態において、本体カップリング９８が連結される。
【０１４１】
また、図１に示すように、現像カートリッジ２１が現像保持フレーム３６に装着され、現像保持フレーム３６が露光位置に配置された状態において、上下方向（現像カートリッジ２１の着脱方向）に投影すると、現像カートリッジ２１のトナー収容部２６は、ＬＥＤユニット１７と重なるように配置されている。
３．現像カートリッジの本体ケーシングに対する着脱
次に、現像カートリッジ２１の本体ケーシング２に対する着脱を説明する。
【０１４２】
本体ケーシング２から現像カートリッジ２１を離脱させるには、図４および図５に示すように、まず、トップカバー６の把持部７を把持して、トップカバー６を開放位置に配置し、本体開口部３を開放する。
【０１４３】
次いで、現像カートリッジ２１のカートリッジ把持部９５を把持して、現像カートリッジ２１を上側に引き出す。
【０１４４】
そうすると、現像カートリッジ２１のボス９３がボスガイド溝５５に案内されて、現像カートリッジ２１が上下方向に沿って、現像保持フレーム３６から引き出される。
【０１４５】
そして、現像カートリッジ２１をさらに上側に移動させると、現像カートリッジ２１が本体開口部３を介して、本体ケーシング２から離脱される。
【０１４６】
なお、現像カートリッジ２１を本体ケーシング２内に装着するには、上記した離脱と逆の手順に操作する。
【０１４７】
つまり、現像カートリッジ２１は、現像保持フレーム３６が露光位置に配置された状態において、本体開口部３を介して、現像保持フレーム３６に着脱可能である。
４．ドラムカートリッジの本体ケーシングに対する着脱
次に、ドラムカートリッジ２０の本体ケーシング２に対する着脱を説明する。
【０１４８】
本体ケーシング２からドラムカートリッジ２０を離脱させるには、図７に示すように、まず、トップカバー６を開放位置に配置した状態において、現像保持フレーム３６のフレーム把持部７１を把持して、複数（４つ）の現像カートリッジ２１を保持した状態の現像保持フレーム３６を、露光位置から退避位置に回動させる。
【０１４９】
次いで、ドラムカートリッジ２０のドラム把持部５７を把持して、ドラムカートリッジ２０を上側に引き出す。
【０１５０】
そうすると、ドラムフレーム４７の下側ボス５２が、まず、ドラムガイド溝４３の下側部分にガイドされて、ドラムカートリッジ２０が前上方に移動される。
【０１５１】
そして、下側ボス５２が、ドラムガイド溝４３の上側部分に到達すると、ドラムガイド溝４３の上側部分にガイドされて、ドラムカートリッジ２０が上方に移動される。
【０１５２】
これにより、ドラムフレーム４７が、ドラム保持フレーム３７から上側に引き出される。
【０１５３】
そして、ドラムカートリッジ２０をさらに上側に移動させると、ドラムカートリッジ２０が本体開口部３を介して、本体ケーシング２から離脱される。
【０１５４】
なお、ドラムカートリッジ２０を本体ケーシング２内に装着するには、上記した離脱と逆の手順に操作する。
【０１５５】
そのため、ドラムカートリッジ２０に支持される感光ドラム１３は、本体ケーシング２に対して、着脱可能に装着される。
５．作用効果
（１）このプリンタ１では、図５および図７に示すように、現像保持フレーム３６が、複数（４つ）の現像カートリッジ２１を保持した状態において、露光位置と退避位置とに移動可能であるので、図５に示すように、現像保持フレーム３６を露光位置に配置すれば、感光ドラム１３と比較して交換の頻度が高い現像カートリッジ２１を、独立して本体ケーシング２に対して着脱できる。
【０１５６】
一方、図７に示すように、現像保持フレーム３６を退避位置に配置すれば、ＬＥＤユニット１７を感光ドラム１３から離間させることができるとともに、複数（４つ）の現像カートリッジ２１を感光ドラム１３から離間させることができる。
【０１５７】
つまり、現像保持フレーム３６を退避位置に配置させることのみにより、ＬＥＤユニット１７および現像カートリッジ２１の両方を、感光ドラム１３から離間させることができる。
【０１５８】
そのため、現像保持フレーム３６を退避位置に配置すれば、現像カートリッジ２１を本体ケーシング２から離脱させるという手間を掛けずに、感光ドラム１３を本体ケーシング２から離脱でき、感光ドラム１３の交換作業の効率化を図ることができる。
【０１５９】
従って、現像カートリッジ２１と感光ドラム１３とをそれぞれ独立して、本体ケーシング２に対して着脱できながら、感光ドラム１３のメンテナンス性の向上を図ることができる。
（２）また、図５に示すように、現像保持フレーム３６が露光位置に配置された状態において、現像カートリッジ２１が、本体開口部３を介して、現像保持フレーム３６に着脱可能である。
【０１６０】
そのため、現像カートリッジ２１を確実に本体ケーシング２に対して着脱できる。
【０１６１】
従って、現像カートリッジ２１のメンテナンス性のさらなる向上を図ることができる。
（３）また、現像保持フレーム３６は、後端部に設けられる回動軸６８を回動支点として、露光位置と退避位置とに回動可能である。
【０１６２】
そのため、簡易な構成でありながら、現像保持フレーム３６を確実に露光位置と退避位置とに移動させることができる。
（４）また、感光ドラム１３は、図１に示すように、複数色（ブラック、イエロー、マゼンタ、シアン）のそれぞれに対応して複数（４つ）設けられ、現像カートリッジ２１は、複数（４つ）の感光ドラム１３のそれぞれに対応して、複数（４つ）設けられている。
【０１６３】
また、複数（４つ）の現像カートリッジ２１のトナー収容部２６には、複数色（例えば、イエロー、マゼンタ、シアン、ブラック）のそれぞれに対応するトナーが収容されている。そのため、フルカラーの画像を形成することができる。
【０１６４】
また、図４に示すように、現像保持フレーム３６が露光位置に配置される状態、すなわち、ＬＥＤユニット１７が感光ドラム１３に近接された状態のまま（図１参照）、現像カートリッジ２１が、本体ケーシング２に対して着脱される。
【０１６５】
そのため、互いに隣り合うトナー収容部２６の間に、ＬＥＤユニット１７を進退させるためのスペースを確保する必要がない。
【０１６６】
その結果、トナー収容部２６の大型化を図ることができ、トナー収容部２６のトナー容量の向上を図ることができる。
（５）また、現像カートリッジ２１のトナー収容部２６は、図１に示すように、現像保持フレーム３６が、現像カートリッジ２１を保持するとともに、露光位置に配置された状態において、上下方向（現像カートリッジ２１の着脱方向）に投影すると、ＬＥＤユニット１７と重なるように配置されている。
【０１６７】
そのため、トナー収容部２６の大型化を図ることができるので、トナー収容部２６のトナー容量のさらなる向上を図ることができる。
６．第２実施形態
次に、本発明の第２実施形態について説明する。
【０１６８】
図８は、第２実施形態のプリンタ（トップカバーが開放位置に配置された状態）を右上側から見た斜視図である。図９は、図８に示すプリンタ（現像保持フレームが退避位置に配置された状態）を右上側から見た斜視図である。
【０１６９】
図８および図９において、図１〜図７に示す各部に対応する部分には、それらの各部と同一の参照符号を付し、その説明を省略する。
【０１７０】
第１実施形態では、図５に示すように、現像保持フレーム３６は、回動部７０を備え、回動軸６８を回動支点として回動可能である。
【０１７１】
これに対して、本発明の第２実施形態では、図８に示すように、現像保持フレーム３６は、現像保持フレーム３６とトップカバー６のヒンジ部８とを連結する腕部１００を備え、ヒンジ部８を回動支点として回動可能である。
【０１７２】
腕部１００は、複数（４つ）のＬＥＤ支持部７４（図６参照）のうち、最も後側のＬＥＤ支持部７４の後端部における左右両端部から連続して、後方に向かうに従って斜め上方に延びる略平板形状に形成されている。
【０１７３】
そして、腕部１００の後端部は、トップカバー６のヒンジ部８に相対回転可能に連結されている。
【０１７４】
これにより、現像保持フレーム３６は、ヒンジ部８を回動支点として、露光位置（図８参照）と退避位置（図９参照）とに回動可能である。つまり、トップカバー６と現像保持フレーム３６とは、回動軸線Ｘが共通である。
【０１７５】
また、トップカバー６には、フレーム把持部７１の取手１０１（後述）に対応して、切欠部１０２が形成されている。
【０１７６】
切欠部１０２は、トップカバー６の前端部における左右方向中央部分から後方に向かって窪む平面視略Ｕ字状に形成されている。
【０１７７】
フレーム把持部７１には、取手１０１が設けられている。
【０１７８】
取手１０１は、下方に向かって開放される正面視略Ｕ字状に形成され、フレーム把持部７１の上端部における左右方向中央部分を跨ぐように、フレーム把持部７１に固定されている。
【０１７９】
そして、取手１０１は、トップカバー６が閉鎖位置に配置された状態において、トップカバー６から切欠部１０２を介して、上方へ露出している。
【０１８０】
そこで、取手１０１を把持して、現像保持フレーム３６を露光位置から退避位置へ回動させると、図９に示すように、トップカバー６が、フレーム把持部７１の上端部に押圧されて、閉鎖位置から開放位置へ、現像保持フレーム３６と一体的に回動される。
【０１８１】
つまり、現像保持フレーム３６の露光位置から退避位置への回動に伴なって、トップカバー６が閉鎖位置から開放位置へ、現像保持フレーム３６と一体的に回動される。
【０１８２】
そのため、ユーザが、トップカバー６および現像保持フレーム３６の両方を操作することなく、現像保持フレーム３６を退避位置に配置させるとともに、トップカバー６を開放位置に配置させることができる。
【０１８３】
そのため、感光ドラム１３のメンテナンス性のさらなる向上を図ることができる。
【０１８４】
また、第２実施形態においても、上記した第１実施形態と同様の作用効果を奏することができる。
７．第３実施形態
次に、本発明の第３実施形態について説明する。
【０１８５】
図１０は、第３実施形態のプリンタ（本体ケーシングの右側壁が省略された状態）を右上側から見た斜視図である。図１１は、図１０に示すプリンタ（開口カバーが開放位置にある状態）を右上側から見た斜視図である。図１２は、図１０に示すプリンタ（支持部材が退避位置に配置された状態）を右上側から見た斜視図である。
【０１８６】
図１０〜図１２において、図１〜図９に示す各部に対応する部分には、それらの各部と同一の参照符号を付し、その説明を省略する。
【０１８７】
第２実施形態では、図８に示すように、トップカバー６と現像保持フレーム３６とが別体として形成されたが、これに対して、本発明の第３実施形態では、図１２に示すように、トップカバー６と現像保持フレーム３６とが一体として形成されている。
【０１８８】
具体的には、現像保持フレーム３６のフレーム把持部７１の上端部が、トップカバー６の前端部における下面に固定されて、現像保持フレーム３６の腕部１００の後端部が、トップカバー６のヒンジ部８に連結されている。
【０１８９】
これにより、トップカバー６と現像保持フレーム３６とが、支持部材１１０として一体形成されている。支持部材１１０は、ヒンジ部８を回動支点として、露光位置（図１０参照）と退避位置（図１２参照）とに回動可能である。なお、支持部材１１０の上壁（第１実施形態および第２実施形態におけるトップカバー６）は、支持上壁１１１として形成されている。
【０１９０】
支持上壁１１１には、開口の一例としての支持部材開口１１２が形成されている。
【０１９１】
支持部材開口１１２は、図１１に示すように、平面視略矩形状に貫通形成され、複数（４つ）の現像カートリッジ２１のそれぞれに対応して、互いに間隔を隔てて、４つ並列配置されている。
【０１９２】
また、支持上壁１１１には、複数（４つ）の支持部材開口１１２のそれぞれに対応して、開閉部材の一例としての開口カバー１１３が、複数（４つ）設けられている。
【０１９３】
複数（４つ）の開口カバー１１３のそれぞれは、平面視略矩形状の略平板形状に形成され、前端部にカバー把持部１１４を備え、後端部にヒンジ１１５を備えている。
【０１９４】
カバー把持部１１４は、開口カバー１１３の前端部における左右方向中央部分から、前上方に向かって突出する略平板形状に形成されている。
【０１９５】
そして、開口カバー１１３は、ヒンジ１１５が支持上壁１１１の上面に固定されることにより、ヒンジ１１５を支点として、支持部材開口１１２を開放する開放位置（図１１参照）と、支持部材開口１１２を閉鎖する閉鎖位置（図１０参照）とに揺動（回動）可能に設けられている。
【０１９６】
このような第３実施形態において、交換が必要な現像カートリッジ２１を本体ケーシング２から離脱させるには、図１１に示すように、まず、交換が必要な現像カートリッジ２１に対応する開口カバー１１３のカバー把持部１１４を把持して、開口カバー１１３を開放位置に配置し、支持部材開口１１２を開放する。
【０１９７】
そして、現像カートリッジ２１のカートリッジ把持部９５を把持して、現像カートリッジ２１を上側に引き出す。
【０１９８】
そうすると、現像カートリッジ２１が支持部材１１０の現像保持フレーム３６から上側に引き出され、引き続き現像カートリッジ２１を上方に移動させることにより、現像カートリッジ２１が、支持部材開口１１２を介して、本体ケーシング２から離脱される。
【０１９９】
なお、現像カートリッジ２１を本体ケーシング２内に装着するには、上記した離脱と逆の手順に操作する。
【０２００】
つまり、現像カートリッジ２１は、支持部材１１０が露光位置に配置された状態において、支持部材開口１１２を介して、支持部材１１０の現像保持フレーム３６に着脱可能である。
【０２０１】
そのため、第３実施形態においても、上記した第１実施形態と同様の作用効果を奏することができる。
【０２０２】
また、複数の現像カートリッジ２１のうち、交換が必要な現像カートリッジ２１のみを、対応する支持部材開口１１２を介して、支持部材１１０の現像保持フレーム３６に対して着脱することができるので、複数の現像カートリッジ２１のメンテナンス性の向上を図ることができる。
【０２０３】
一方、ドラムカートリッジ２０を本体ケーシング２から離脱させる場合、図１２に示すように、まず、支持部材１１０の把持部７を把持して、支持部材１１０を退避位置に配置する。そうすると、本体開口部３が開放される。
【０２０４】
そのため、上記した第１実施形態におけるドラムカートリッジ２０の本体ケーシング２に対する離脱動作と同様の手順により、ドラムカートリッジ２０を、本体開口部３を介して、本体ケーシング２から離脱できる。
【０２０５】
なお、上記した第１実施形態〜第３実施形態は、適宜組み合わせることができる。
【符号の説明】
【０２０６】
１      プリンタ
２      本体ケーシング
３      本体開口部
６      トップカバー
１３    感光ドラム
１７    ＬＥＤユニット
２１    現像カートリッジ
３６    現像保持フレーム
１１０  支持部材
１１２  支持部材開口
１１３  開口カバー
Ｘ      回動軸線
【図１】
0005929174.tif 000002
【図２】
0005929174.tif 000003
【図３】
0005929174.tif 000004
【図４】
0005929174.tif 000005
【図５】
0005929174.tif 000006
【図６】
0005929174.tif 000007
【図７】
0005929174.tif 000008
【図８】
0005929174.tif 000009
【図９】
0005929174.tif 000010
【図１０】
0005929174.tif 000011
【図１１】
0005929174.tif 000012
【図１２】
0005929174.tif 000013